(57)【要約】【課題】缶内圧の高い正内圧缶用の缶蓋について、缶内圧が異常に上昇してバックリングが発生したときに、それに続いて巻締部の破壊により多量の内容物を一度に周囲に飛散させるブローオフが起きることのないようにする。【解決手段】略円板状のパネル部２の周辺部から外方に、缶内側に凹んだ補強用の環状溝３と、該環状溝３の外側壁に続く傾斜したチャックウォール部４と、外周部をカールさせたフランジカール部５とが連続するように一体成形されている缶蓋において、パネル部２の周辺部付近に、バックリングの起点となる角出し変形が容易なバックリング誘発部６を形成すると共に、このバックリング誘発部６の付近に、バックリング時の角出し変形によって破断されるスコア線７を形成する。【選択図】      図２
2004238071.tif 000002
【特許請求の範囲】
【請求項１】
略円板状のパネル部の周辺部から外方に、缶内側に凹んだ補強用の環状溝と、該環状溝の外側壁に続く傾斜したチャックウォール部と、外周部をカールさせたフランジカール部とが連続するように一体成形されている缶蓋において、パネル部の周辺部付近に、バックリングの起点となる角出し変形が容易なバックリング誘発部が形成されていると共に、このバックリング誘発部の付近に、バックリング時の角出し変形によって破断されるスコア線が形成されていることを特徴とする缶蓋。
【請求項２】
スコア線が、缶蓋の中心とバックリング誘発部とを通る仮想線を横切るように形成されていることを特徴とする請求項１に記載の缶蓋。
【請求項３】
缶蓋が圧延された金属板を主材料として一体成形されており、金属板の圧延方向と４５°の角度で缶蓋の中心を通る仮想線の付近にスコア線が形成されていることを特徴とする請求項１又は２に記載の缶蓋。
【請求項４】
バックリング誘発部が２箇所以上に形成されており、各バックリング誘発部での角出し変形の容易性に強度差が設けられていて、各バックリング誘発部のうちの角出し変形の容易性が比較的小さいバックリング誘発部に対してスコア線が形成されていることを特徴とする請求項１乃至３の何れかに記載の缶蓋。
【発明の詳細な説明】
【０００１】
【発明の属する技術分野】
本発明は、缶容器の端板部として缶胴の開口端部に二重巻締めで固着される缶蓋（上蓋や底蓋）に関し、特に、缶内圧が高い正内圧缶（陽圧缶）に使用される缶蓋について、缶内圧が異常に上昇してバックリングが起きても、巻締部の破壊によるブローオフが起きることがない缶蓋の構造に関する。
【０００２】
【従来の技術】
炭酸飲料やビール等の発泡性飲料を内容物とする飲料缶のような缶内圧の高い正内圧缶（陽圧缶）の缶詰では、振動や衝撃や温度上昇等により缶内圧が異常に上昇したときに、缶胴に巻き締められた缶蓋の周辺部分が反転してパネル部が缶外方に角出し変形する所謂バックリングという現象が起きることがあって、そのようなバックリングが起きた後も缶内圧が上昇し続けて異常に高い状態になると、角出し部によって引っ張られる状態で、チャックウォール部に続く巻締部の缶蓋側（カバーフック）と缶胴側（ボディフック）の係合状態が引き延ばされて、遂には、巻締部が破壊されて缶蓋が缶胴から外れることで多量の内容物が一度に周囲に飛び散ったり或いは缶蓋が吹き飛んだりする所謂ブローオフと呼ばれる現象が起きることがある。
【０００３】
そのように缶内圧の上昇により缶蓋が外れるという点に関して、例えば、特公昭５１−３１６０６号公報には、「底蓋つきの円筒状金属胴に二重まきしめされ且つ容器内圧に対する抵抗力が該底蓋のもつ該抵抗力よりも小であるドーム状金属製上蓋を備えた密封内圧容器において、該ドーム状金属製上蓋と該金属胴との二重まきしめ部上端を含む部分に、該上蓋の直径方向に、多数の刻み線を設けた」という圧力放出機構をもつ密封内圧容器（エアゾール容器）について記載されており、また、そのような圧力放出機構により、高熱により内圧が増加したときに、ドーム状金属製上蓋の膨出により刻み線を破断させて、それによる漏出口から内容品を放出させることで、内圧によって底蓋が吹き飛ぶのを防止するということが記載されている。
【０００４】
【発明が解決しようとする課題】
ところで、上記のような従来公知の密封内圧容器の圧力放出機構は、ドーム状の金属製上蓋を備えたエアゾール容器に関するものであって、内圧の増加による金属製上蓋の膨出に応じて刻み線（スコア線）が破断されることで、内圧により底蓋が吹き飛ぶのを防止するものであるが、内圧の増加によりドーム状の金属製上蓋が膨出する際には、飲料缶のバックリングにおける角出し変形のようなものが該金属製上蓋のどの箇所で発生するのか判らない（上記の引用公報中には、角出し変形のような変形が起きるということは全く記載されていない）ことから、該金属製上蓋には、その二重まきしめ部上端を含む部分に、直径方向の刻み線が円周方向に間隔を置いて多数設けられている。
【０００５】
そのため、缶内圧が高い正内圧缶（陽圧缶）の飲料缶等において、缶内が異常に上昇してバックリングが起きた後で、更に巻締部の破壊によるブローオフが起きるのを防止するために、仮に上記のような従来公知の圧力放出機構を適用した場合、缶蓋に多数のスコア線（刻み線）を設けることによって、缶蓋自体の強度を大きく低下させることとなり、缶内圧の増加がさほど大きくなくてもスコア線が破断したり、落下衝撃を受けるだけでスコア線が破断したりすることで、バックリングが発生するような高内圧時以外にもスコア線が破断されて内容物が放出されてしまう虞が生じるという問題がある。
【０００６】
本発明は、上記のような問題の解消を課題とするものであり、具体的には、缶内圧の高い正内圧缶用の缶蓋について、缶内圧が異常に上昇してバックリングが発生したときに、それに続いて巻締部の破壊により多量の内容物を一度に周囲に飛散させるブローオフが起きることのないようにすることを課題とするものである。
【０００７】
【課題を解決するための手段】
本発明は、上記のような課題を解決するために、略円板状のパネル部の周辺部から外方に、缶内側に凹んだ補強用の環状溝と、該環状溝の外側壁に続く傾斜したチャックウォール部と、外周部をカールさせたフランジカール部とが連続するように一体成形されている缶蓋において、パネル部の周辺部付近に、バックリングの起点となる角出し変形が容易なバックリング誘発部を形成すると共に、このバックリング誘発部の付近に、バックリング時の角出し変形によって破断されるスコア線を形成することを特徴とするものである。
【０００８】
上記のような構成によれば、缶内圧が異常に上昇してバックリングが発生したときに、バックリング誘発部で積極的に缶蓋が角出し変形するのに連れて、バックリング誘発部の付近に形成されたスコア線が破断されることにより、直ちに缶内圧が下がって巻締部の破壊によるブローオフの発生が確実に防止されることとなる。しかも、バックリング誘発部の付近にだけスコア線を必要最小限に設けていることで、缶蓋の強度をそれ程低下させることはなく、本来バックリングが発生しないような状態でスコア線が容易に破断されることはない。
【０００９】
【発明の実施の形態】
以下、本発明の缶蓋の実施形態について、図面に基づいて詳細に説明する。なお、本発明の缶蓋の一実施形態について、図１は、（Ａ）缶蓋全体の平面形状と（Ｂ）Ａ図のＢ−Ｂ線に沿った缶蓋の縦断面形状とを示し、図２は、スコア線が形成されたバックリング誘発部の付近の（Ａ）平面形状と（Ｂ）縦断面形状とをそれぞれ示し、図３は、図２に示したスコア線とは平面形状が異なるスコア線の各例（Ａ），（Ｂ）をそれぞれ示すものである。また、図４は、本発明の他の実施形態について、スコア線が形成されたバックリング誘発部の付近の（Ａ）平面形状と（Ｂ）縦断面形状とをそれぞれ示すものである。さらに、図５（Ａ），（Ｂ）は、バックリング発生時の缶蓋の角出し変形の状態を示すものである。
【００１０】
本実施形態の缶蓋は、炭酸飲料やビール等を内容物とする正内圧缶（陽圧缶）に使用されるものであり、従来から知られた成形金型によるプレス成形により缶蓋用の金属板材から一体成形されたものであって、図１（Ａ）に示すように、缶蓋１には、パネル部２と環状溝３とチャックウォール部４とフランジカール部５の各部分が一体的に形成されていて、図１（Ｂ）に示すように、未使用の缶蓋の缶内側を下にした状態で、略円板状のパネル部２の周辺部から外方に、下方（缶内側）に凹むように補強用の環状溝３が形成され、環状溝３の外側壁と略面一に続くようにチャックウォール部４が外方に傾斜して立ち上がり、チャックウォール部４の上端はフランジカール部５の内周部のラッパ状曲面に連なっていて、フランジカール部５の外周部は下方にカールされている。
【００１１】
なお、この缶蓋１は、プレス成形された後の未使用の製品であって、図示していないが、フランジカール部５の裏面側に有機高分子製のシール剤が塗布されてから、缶本体（缶胴）のフランジ部の上に載置されて、フランジカール部５により缶本体のフランジ部に二重巻締めされることで、缶の端板部（上蓋や底蓋）として缶本体に一体的に巻締め固着されるものである。
【００１２】
缶蓋１の素材として使用する缶蓋用の金属板材については、圧延されてから必要に応じて適宜の表面処理やメッキが施された金属板を主材として、その少なくとも缶内面側となる面（内容物と接する面）に樹脂被膜を形成したものであって、金属板としては、例えば、純アルミニウムやアルミニウム合金（３００４材，５０５２材，５０８２材，５１８２材等）によるアルミ板材や、電解クロム酸処理鋼板，ニッケルメッキ鋼板，錫メッキ鋼板等のような鋼板材が使用できる。また、樹脂被膜としては、食品衛生性や耐食性や加工性やフレーバー性の観点から、エポキシ−フェノール樹脂，エポキシ−アクリル樹脂，塩化ビニル系樹脂等の塗料や、ポリエチレン，ポリプロピレン，ポリエステル，ポリアミド，アイオノマー等の熱可塑性樹脂のｌ種又は２種以上から構成される樹脂フィルム等が使用できる。
【００１３】
ところで、上記のようにパネル部２と環状溝３とチャックウォール部４とフランジカール部５とが一体成形された缶蓋１において、本実施形態では、図１（Ａ）に示すように、パネル部２の周辺部で、円周方向に略等間隔（缶蓋の中心に対して９０°の間隔）を置いて４箇所に、バックリングの起点となる角出し変形が容易なバックリング誘発部６が形成されており、この缶蓋１が巻締め固着された缶詰において缶内圧が異常に高くなったときには、このバックリング誘発部６の部分で優先的に角出し変形が起きることでバックリングが発生するようになっている。
【００１４】
缶蓋１の各バックリング誘発部６は、本実施形態では、何れも圧印加工（コイニング）により形成されていて、図２（Ａ），（Ｂ）に示すように、板厚が薄肉化されて上方（缶外側）に突出するようなコイニング部として形成されている。そして、各バックリング誘発部６のうちの少なくとも何れかに対して、そのバックリング誘発部６の角出し変形によって破断されるようにスコア線７が形成されていて、このスコア線７は、缶蓋１の中心とバックリング誘発部６とを通る仮想線Ｌを横切るように形成されている。
【００１５】
なお、スコア線７の平面形状については、図２（Ａ）に示したものでは、缶蓋１の中心とバックリング誘発部６とを通る仮想線Ｌと直交する方向に延びる直線状のものとしているが、そのようなものに限らず、例えば、図３（Ａ）に示ように、円弧状に形成したり、或いは、図３（Ｂ）に示すように、折れ線状に形成したりしても良く、そのようにスコア線７の両端を缶蓋１の中心側の方に向けておくことにより、例えば、各バックリング誘発部６の全てに対してスコア線７を形成したような場合において、その全てのスコア線７が破断された際に、缶蓋１の周辺部で各スコア線７の破断端同士が円周方向で繋がって缶蓋１が大きく口を開けるということが起きるのを防止することができる。
【００１６】
バックリング誘発部６が４箇所に形成されている缶蓋１でのバックリングの発生状態（角出し変形の状態）については、先ず、缶内圧が異常に高くなって最初のバックリングが起きることで、図５（Ａ）に示すように、１箇所で角出し変形部１０が形成される。そして、その後も缶内圧が異常に高い状態が続くと、缶蓋の全周で順次に２回目のバックリングが起きて、最終的には、図５（Ｂ）に示すように、４箇所の全てで角出し変形部１０が形成されることとなる。
【００１７】
そのような缶蓋１がバックリングする際に、各バックリング誘発部６は何れも角出し変形を起こすための起点となるものであるが、そのようにバックリングの起点となる各バックリング誘発部６での角出し変形の容易性（耐変形性）について、本実施形態では、各バックリング誘発部６の間に強度差を設けることで、バックリング時の各バックリング誘発部６の角出し変形に優先順位をつけるようにしている。具体的には、４箇所に形成された各バックリング誘発部６のうち、缶蓋の中心に対して対称な２箇所の強度を、他の対称な２箇所の強度よりも弱く（変形容易性を大きく、即ち、変形し易く）して、この部分が優先的にバックリング起点となるようにしている。
【００１８】
コイニング部による各バックリング誘発部６において変形容易性（耐変形性）に強度差を設けるための具体的な方法については、コイニング部の突出の高さ（深さ）を変えたり、或いは、コイニング部の板厚を変えたりすることにより可能なものであって、突出の高さを高く（深く）するほど変形し易くなり、また、板厚を薄くするほど変形し易くなる。
【００１９】
そのように各バックリング誘発部６の間で角出し変形の容易性について強度差を設けているのに対して、バックリング誘発部６の付近に形成するスコア線７は、各バックリング誘発部６のうちの角出し変形の容易性が比較的小さい（変形し難い）ものにだけ形成するようにしている。すなわち、コイニング部として形成されている各バックリング誘発部６のうちで、コイニング部が比較的変形し難く形成されている２箇所のバックリング誘発部６のそれぞれ（何れか一方でも良い）に対して、図２（Ａ），（Ｂ）に示すように、缶蓋１の中心とバックリング誘発部６とを通る仮想線Ｌを横切るようにスコア線７を形成しており、具体的には、バックリング誘発部６であるコイニング部（突出している薄肉部分）を横切るように（コイニング部の範囲内でも良い）スコア線７を形成している。
【００２０】
なお、バックリング誘発部６の付近に（本実施形態ではコイニング部を横切るように）形成されるスコア線７の位置については、缶蓋１の金属板の圧延方向（圧延方向に対して０°方向）との関係で、圧延方向で缶蓋の中心を通る仮想線上（該仮想線を横切る状態）でも、圧延方向に直交する方向で缶蓋の中心を通る仮想線上（該仮想線を横切る状態）でも良く、また、圧延方向とは関係なくランダムに配置しても良いのではあるが、本実施形態では、図１（Ａ）に示すように、バックリング誘発部６と缶蓋１の中心とを通る仮想線Ｌが圧延方向Ｘと４５°の角度となるように各バックリング誘発部６を配置して、この圧延方向Ｘと４５°の角度になる仮想線Ｌ上（該仮想線Ｌ上にあるバックリング誘発部６を横切る状態）にスコア線７を形成している。
【００２１】
上記のようにバックリング誘発部６とスコア線７が形成されている本実施形態の缶蓋１によれば、特定の箇所（バックリング誘発部６）を確実にバックリング起点とすることができ、且つ、そのような特定の箇所（バックリング誘発部６）に対してだけ必要最少限の数のスコア線７を形成することで、多数のスコア線を形成して缶蓋の強度を大きく低下させるようなことなく、バックリングが発生したときに確実にスコア線７を破断させることができて、その結果、スコア線７の破断による缶内圧の低下によってブローオフの発生を確実に防止することができる。
【００２２】
なお、本実施形態では、缶蓋１のパネル部２の周辺部（パネル部２の周辺部に形成されるコイニング部の範囲内）にスコア線７を形成していることにより、缶蓋の巻締部となる部分にスコア線を形成したような場合に比べて、缶を誤って落下させたときに、スコア線を直接地面と接触させることがなく、落下衝撃によるスコア線の破断を防ぐことができると共に、バックリングの発生によりスコア線が破断されたときに、スコア線の破断により巻締部が破壊されてブローオフが発生するようなこともない。
【００２３】
また、本実施形態では、缶蓋１の中心とバックリング誘発部６とを通るように缶蓋１の半径方向に延びている仮想線Ｌを横切るようにスコア線７を形成していることにより、バックリングが発生することでバックリング誘発部６が角出し変形するのに連れて、パネル部２の周辺部付近が缶蓋の半径方向に沿って外方に突出するように稜状（山折れ状）に変形したときに、この稜状に変形した部分をスコア線７が横切る状態となることから、スコア線７の破断が確実に行なわれることとなる。これに対して、スコア線を缶蓋の半径方向に沿って延ばしている場合には、スコア線の部分で稜状に折れ曲がるだけで、スコア線が破断されないような虞がある。
【００２４】
また、本実施形態では、バックリング誘発部６を複数箇所（４箇所）に形成して、各バックリング誘発部６での変形容易性に強度差を設けると共に、各バックリング誘発部６のうちの変形容易性が小さい（変形し難い）バックリング誘発部６に対してスコア線７を設けていることにより、缶内圧が異常に上昇してバックリングが発生する際に、最初に変形し易いバックリング誘発部６で角出し変形が起きて１回目のバックリングが発生して一時的に缶内圧を低下させた後、さらに缶内圧が次第に上昇して、変形し難いバックリング誘発部６で角出し変形が起きて２回目のバックリングが発生する時に、スコア線７を破断させることができて、その結果、缶内圧がブローオフを引き起こす程に上昇するまでスコア線７の破断を抑制することができ、缶内圧がさほど高くない状態でのスコア線７の破断を防止することができる。
【００２５】
なお、缶蓋全体に設けるバックリング誘発部６の数については、１個でも良いのであるが、１個では確実にバックリングの起点を制御するのが難しく、一方、数が多すぎると、缶蓋の耐圧強度を大きく低下させることから、２〜４個程度が好ましい。具体的には、本実施形態では、バックリング誘発部６を４箇所に形成して、そのうちの缶蓋の中心に対して対称な２箇所の強度を、他の対称な２箇所の強度よりも弱く（変形容易性を大きく、即ち、変形し易く）して、この部分が優先的にバックリング起点となるようにしている。そして、変形容易性が小さい（変形し難い）２箇所のバックリング誘発部６のそれぞれに対して１個ずつの計２個（或いは、その何れか一方に対して１個だけでも良い）のスコア線７を設けるようにしている。
【００２６】
また、スコア線７の位置については、圧延方向で缶蓋の中心を通る仮想線上（該仮想線を横切る状態）でも、圧延方向に直交する方向で缶蓋の中心を通る仮想線上（該仮想線を横切る状態）でも良く、また、圧延方向とは関係なくランダムに配置しても良いのではあるが、本実施形態では、缶蓋１の金属板の圧延方向Ｘと４５°の角度で缶蓋の中心を通る仮想線Ｌ上（該仮想線Ｌを横切る状態）に形成しており、それによって、スコア線７の残厚を比較的厚く（刻み目を浅く）しても、バックリング時にスコア線７が破断されるようにしている。
【００２７】
すなわち、圧延された金属板では、圧延方向と４５°の角度の方向の強度がその他の方向の強度と比べて弱い、ということは従来から周知の事項であって、そのような金属板の強度が弱い部分にスコア線を形成することで、スコア線の残厚を比較的厚くしても、バックリング時にスコア線の破断を生じさせることができて、その結果、スコア線の残厚を薄くした際の落下衝撃によるスコア線の破断や缶蓋の内面品位の低下などを防止することができる。また、強度の比較的弱い圧延方向に対して４５°方向ではバックリングの際の角出し変形も起き易いことから、バックリング誘発部６によりバックリング起点の位置の制御をより確実に行うことができる。
【００２８】
さらに、本実施形態では、缶蓋１の金属板の圧延方向Ｘと４５°の角度で缶蓋の中心を通る仮想線Ｌ上にバックリング誘発部６を位置させていることで、バックリングの際の角出し変形も起こり易いことから、バックリング誘発部６によるバックリング起点の制御をより確実に行うことができると共に、バックリング誘発部６を緩く成形（具体的には、例えば、コイニング部で、突出の高さを低くしたり、板厚を厚くしたり）しても、角出し変形し易くすることができて、その結果、コイニング加工等による缶蓋の耐圧強度の低下を抑えることができる。これに対して、圧延方向に対して４５°方向以外では、バックリングの起点としての角出し変形を起こし易くするために、バックリング誘発部の成形を比較的きつくする必要があり、そうすることで缶蓋の耐圧強度が低下してしまう。
【００２９】
以上、本発明の缶蓋の一実施形態について説明したが、本発明は、上記のような実施形態にのみ限定されるものではなく、例えば、バックリング誘発部の数については、上記の実施形態に示したような４箇所に限らず、１箇所以上であれば良いし、バックリング誘発部の構造については、上記の実施形態に示したようなコイニング部に限らず、例えば、下方（缶内側）に凹むようなコイニング部や、部分的に板厚を薄くしただけのコイニング部であっても良く、更には、コイニング部に限らず、図４（Ａ），（Ｂ）に示すように、補強用の環状溝３の内側上端縁（言い換えれば、パネル部２の外周縁）の角部を部分的に切り欠くような溝状凹部のバックリング誘発部６として形成するようにしても良いし、その他の適宜の構造であっても良いものであり、また、バックリング誘発部に対するスコア線の位置関係についても、バックリング誘発部上（例えば、コイニング部を横切るような位置）に限らず、バックリング誘発部で角出し変形が起きたときに缶蓋が変形する範囲に形成されていれば良い等、適宜に設計変更可能なものであることは言うまでもない。
【００３０】
【発明の効果】
以上説明したような本発明の缶蓋によれば、多数のスコア線を形成することで缶蓋の耐圧強度を大きく低下させるようなことなく、しかも、缶内圧が異常に上昇してバックリングが発生した場合には、バックリング誘発部の付近に必要最小限に設けられているスコア線が確実に破断されることで、バックリングが発生した後で巻締部の破壊によるブローオフが発生するのを確実に防止することができる。
【図面の簡単な説明】
【図１】本発明の缶蓋の一実施形態について、（Ａ）缶蓋全体を示す平面図、および（Ｂ）Ａ図のＢ−Ｂ線に沿った縦断面図。
【図２】図１に示した缶蓋について、スコア線が形成されたバックリング誘発部の付近を部分的に示す（Ａ）平面図、および（Ｂ）縦断面形状図。
【図３】図１に示した缶蓋のバックリング誘発部の付近について、図２に示したスコア線とは平面形状が異なる他のスコア線の各例（Ａ），（Ｂ）をそれぞれ示す平面図。
【図４】本発明の缶蓋の他の実施形態について、スコア線が形成されたバックリング誘発部の付近を部分的に示す（Ａ）平面図、および（Ｂ）縦断面形状図。
【図５】バックリング発生時の缶蓋の角出し変形の状態について、（Ａ）最初のバックリング時の状態と（Ｂ）最終的なバックリング時の状態とをそれぞれ示す斜視説明図。
【符号の説明】
１        缶蓋
２        パネル部
３        環状溝
４        チャックウォール部
５        フランジカール部
６        バックリング誘発部
７        スコア線
Ｌ        缶蓋の中心とバックリング誘発部とを通る仮想線
Ｘ        金属板の圧延方向
【図１】
2004238071.tif 000003
【図２】
2004238071.tif 000004
【図３】
2004238071.tif 000005
【図４】
2004238071.tif 000006
【図５】
2004238071.tif 000007